(57)【要約】【課題】調光システムにおいて、調光器と操作チャンネルとの割付を、簡単な操作で元の設定に戻すことができるようにする。【解決手段】調光システム１は、複数の照明負荷２と、照明負荷２に調光信号を出力する調光器３１，３２，…，３ｎと、これら調光器に操作チャンネルを割り付け、操作チャンネル毎に照明負荷２を制御する調光操作器４と、を備える。また、調光操作器４は、電源がオンされてからオフされるまでの間の第１の操作チャンネルの割付を記憶する第１の記憶部６１と、電源がオフされた後にオンされた時点で再現される第２の操作チャンネルの割付を記憶する第２の記憶部６２と、を備える。調光操作器４は、電源がオフされた後にオンされると、第２の操作チャンネルの割付を再現する。この第２の操作チャンネルの割付を初期設定としておくことにより、作業者は電源をオフオンする簡単な操作で操作チャンネルの割付を初期設定に戻すことができる。【選択図】図２
2008293893.tif 000002
【特許請求の範囲】
【請求項１】
複数の照明負荷と、これら照明負荷に調光信号を出力する複数の調光器と、前記複数の調光器に操作チャンネルを割り付け、該操作チャンネル毎に照明負荷を調光制御する調光操作器と、を備えた調光システムにおいて、
前記調光操作器は、
電源がオンされてからオフされるまでの間の第１の操作チャンネルの割付を記憶する第１の記憶部と、
電源がオフされた後にオンされた時点で再現される第２の操作チャンネルの割付を記憶する第２の記憶部と、を備えることを特徴とする調光システム。
【発明の詳細な説明】
【技術分野】
【０００１】
本発明は、劇場やホール等の舞台照明に用いられる複数の照明負荷を調光制御することができる調光システムに関する。
【背景技術】
【０００２】
従来から、劇場やホール等の舞台照明では、舞台のシーンに応じて複数の照明負荷の明るさや色を変化させる照明演出が行われている。このような照明演出では、複数の照明負荷を調光操作器により一括して調光制御することができる調光システムが用いられる。
【０００３】
この種の調光システムでは、複数の照明負荷の夫々に接続された調光器に対して、調光操作器を用いて所定の調光制御信号の出力レベルを制御できるように、各調光器に対して操作チャンネルを割り付ける設定（以下、パッチ設定）を行うことができる。また、この調光システムで用いられる調光操作器は、上記のパッチ設定における割付情報（以下、パッチ情報）を記憶する記憶部を備え、調光操作器のフェーダ等を操作することにより、記憶部に記憶されたパッチ情報に基づいて、所定の調光器に対する調光制御信号の出力レベルを制御することができる（例えば、特許文献１参照）。
【特許文献１】特開平９−３０６６７７号公報
【発明の開示】
【発明が解決しようとする課題】
【０００４】
しかしながら、一般に、劇場やホール等の舞台照明で上記のようなパッチ設定を行う際には、多数の調光器に対して各々操作チャンネルを割り付けるといった複雑な操作を要するので、初心者は間違ったパッチ設定を行い易い。ところが、上記特許文献１に示されるような既存の調光システムでは、一旦、パッチ情報が記憶部に記憶されると、初期設定又はパッチ割付を記憶させる前の設定に戻すには、記憶された全てのパッチ情報を削除するといった面倒な操作が必要である。このため、作業者が間違ったパッチ設定を行ったときに、元の設定に戻すことが容易でない。
【０００５】
本発明は、上記課題を解決するものであり、間違ったパッチ設定が行われたとき、簡単な操作で元の設定に戻すことができ、初心者でも操作し易い調光システムを提供することを目的とする。
【課題を解決するための手段】
【０００６】
上記課題を解決するため、請求項１の発明は、複数の照明負荷と、これら照明負荷に調光信号を出力する複数の調光器と、前記複数の調光器に操作チャンネルを割り付け、該操作チャンネル毎に照明負荷を調光制御する調光操作器と、を備えた調光システムにおいて、前記調光操作器は、電源がオンされてからオフされるまでの間の第１の操作チャンネルの割付を記憶する第１の記憶部と、電源がオフされた後にオンされた時点で再現される第２の操作チャンネルの割付を記憶する第２の記憶部と、を備えるものである。
【発明の効果】
【０００７】
請求項１の発明によれば、第２の操作チャンネルの割付を初期の設定としておくことにより、作業者は調光器と操作チャンネルの割付を間違って設定したときであっても、電源をオフからオンにする簡単な操作で元の設定に戻すことができる。
【発明を実施するための最良の形態】
【０００８】
以下、本発明の一実施形態に係る調光システムについて、図１乃至図３を参照して説明する。本実施形態の調光システム１は、複数の照明負荷２（２１，２２，…，２ｎ）と、各照明負荷２に接続される調光盤３に設けられた複数の調光器３１，３２，…，３ｎと、照明負荷２を調光操作するための調光制御信号を出力する調光操作器４と、を備える。
【０００９】
調光盤３は、上述の調光器３１，３２，…，３ｎに加えて、調光操作器４からの調光制御信号を受信して、各調光器３１，３２，…，３ｎへ調光レベル情報を伝送する調光盤制御部３０を備える。なお、図２では、複数の調光器３１，３２，…，３ｎが夫々個別に照明負荷２１，２２，…，２ｎに接続された例を示しているが、これに限られず、通常は、１つの調光器に対して多数の照明負荷２が接続される。
【００１０】
各調光器３１，３２，…，３ｎは、トライアックを有し、調光盤制御部３０から伝送された調光レベル情報に従ってトライアックをオンオフさせて照明負荷２に対して位相制御された波形信号を出力する。なお、調光器３１，３２，…，３ｎは、照明負荷２の種類等に応じた適宜の制御手段が適用され、上記の制御手段に限られない。
【００１１】
調光操作器４は、複数の照明負荷２に接続された夫々の調光器３１，３２，…，３ｎに対して操作チャンネルを割り付けると共に、照明負荷２の調光レベルを設定するための設定入力部５と、設定入力部５の設定を読み込むと共に、この設定に基づいて調光盤３に向けて調光制御信号の出力等を行う制御部６と、を備える。
【００１２】
設定入力部５は、照明負荷２の明るさを制御する調光制御信号の出力レベルを設定するためのフェーダ部７と、複数の調光器３１，３２，…，３ｎに対して、フェーダ部７に設けられた操作チャンネルを割り当てる（パッチ設定）ためのパッチ設定部８と、調光操作器４に対する商用電源（図示せず）からの給電をオンオフするための電源スイッチ９と、を備える。
【００１３】
フェーダ部７は、夫々にチャンネル番号（ＣＨ１，２，…，ｎ）が付された複数のフェーダ７１，７２，…，７ｎから成る。各フェーダ７１，７２，…，７ｎには、例えば、スライド式の可変抵抗器（フェーダ）が用いられる。なお、上記のスライド式以外にも、調光操作器４の前面にエンコーダに連動したホイールの周面の一部を露出させ、そのホイールの回転によってレベルを設定するものや、ピアノスイッチをアップ／ダウンスイッチに用いてレベルを設定するもの等、操作チャンネル毎に出力レベルを設定できるものであれば特に限定されない。
【００１４】
パッチ設定部８は、制御対象の照明負荷２に接続された調光器３１，３２，…，３ｎの番号を選択するための調光器番号ボタン８０と、選択された調光器３１，３２，…，３ｎの番号を表示する調光器番号表示部８１と、選択された調光器３１，３２，…，３ｎに割り当てられるフェーダ部７の操作チャンネルを選択するための操作チャンネル選択ボタン８２と、選択された操作チャンネル番号を表示する操作チャンネル番号表示部８３と、選択された調光器番号及びこの調光器に割り当てられる操作チャンネル番号との対応関係を、パッチ情報として設定するためのセットボタン８４と、を備える。
【００１５】
制御部６は、パッチ設定部８で設定されたパッチ情報等を記憶する記憶部（第１の記憶部６１及び第２の記憶部６２）と、調光盤３に対して調光制御信号を出力する出力部６３と、パッチ設定部８で設定されたパッチ情報を読み出してこれを第１の記憶部６１に書き込むと共に、出力部６３を制御して、記憶されたパッチ情報及びフェーダ部７で設定された調光レベルに基づく調光制御信号の出力等を行うマイコン６４と、を備える。
【００１６】
第１の記憶部６１は、電源スイッチ９がオンされてからオフされるまでの間に、パッチ設定部８で設定されたパッチ情報（第１の操作チャンネルの割付）を記憶する。この第１の操作チャンネルの割付は、一時的に記憶されるものであり、通常、電源スイッチ９がオフされると、それと共に消去される。
【００１７】
第２の記憶部６２は、電源スイッチ９がオフされた後に、オンされた時点で再現される初期設定におけるパッチ情報（第２の操作チャンネルの割付）を記憶する。第２の操作チャンネルの割付は、調光システム１の予め出荷時に設定されている。また、好ましくは、調光操作器４は書き換えスイッチ（図示せず）を備え、作業者が書き換えスイッチを押しながら電源スイッチ９をオンすると、この第２の操作チャンネルの割付も書き換えることができる。なお、制御部６には、上記のようにして書き換えられる操作チャンネルの割付を記憶する別途の記憶部（図示せず）が備えられてもよい。
【００１８】
上記の第１の記憶部６１及び第２の記憶部６２には、例えば、ＥＥＰＲＯＭといった汎用の書き換え可能なメモリが用いられ、そのメモリ領域の一部が第２の記憶部６２として、他の領域が第１の記憶部６１として使用される。なお、第１の記憶部６１及び第２の記憶部６２には、夫々個別のメモリが用いられてもよい。
【００１９】
マイコン６４は、汎用のマイコンが用いられ、設定入力部５のパッチ設定及びフェーダ７１，７２，…，７ｎで設定された調光レベル等の情報を定期的に読み出し、これらの情報を出力部６３へ伝送する。出力部６３はこれを受けて所定の調光制御信号（例えば、ＤＭＸ５１２信号）を調光盤制御部３０へ出力する。なお、出力部６３は、マイコン６４と一体化されていてもよい。
【００２０】
以下に、本実施形態における調光システム１の動作について、上述した図２及び図３を参照して説明する。ここでは、照明負荷２２の調光レベルを制御するために、この照明負荷２２が接続された調光器３２（調光器番号を２番とする）に対して操作チャンネルＣＨ２を割り当てるパッチ設定を行うものとする。ます、調光操作器４の電源スイッチ９がオンされると、制御部６のマイコン６４は、第２の記憶部６２に記憶された初期設定を読み出す。その後、作業者が調光器番号ボタン８０を操作して、調光器３２を選択すると共に、操作チャンネル選択ボタン８２を操作して、調光器３２に割り当てられる操作チャンネルＣＨ２を選択した後、セットボタン８４が押す。上記の操作が行われると、マイコン６４は、選択された調光器３２及びこの調光器３２に割り当てられる操作チャンネルＣＨ２をパッチ情報と読み出して、これを第１の記憶部６１に記憶させる。
【００２１】
上記のようなパッチ設定がされた後、操作チャンネルＣＨ２に対応するフェーダ７２が操作されると、マイコン６４は、この操作情報を読み出し、出力部６３に対して、フェーダ２で設定された調光レベルで照明負荷２２を調光するための調光制御信号を調光盤制御部３０へ出力させる。調光盤制御部３０は、この調光制御信号を受けて、調光器３２へ調光レベル情報を伝送する。この調光レベル情報は、照明負荷２２の明るさをフェーダ７２で設定された調光レベルにするために、調光器３２のトライアックを所定の周波数でオンオフさせるための情報である。その結果、照明負荷２２は、フェーダ７２で設定された調光レベルに対応する位相制御された波形信号によって調光制御される。同様の操作を各調光器３１，３３，…，３ｎ及び操作チャンネルＣＨ１，ＣＨ３，…，ＣＨｎに対して行うことにより、複数の照明負荷２について調光操作器４を用いて一括して調光制御できるようになる。
【００２２】
しかしながら、一般に、劇場やホール等の舞台照明では、多数の照明負荷２が設置されるので、これらの照明負荷２に接続される調光器３１，…，３ｎの個数及び操作チャンネルＣＨ１，…，ＣＨｎの数も多くなる。また、これらの調光器に対して各々の操作チャンネルを割り付けるとき、調光器に与えられた番号と操作チャンネルの番号とが一致しないことが多く、作業者は、複雑な操作を行っている際に、間違ったパッチ設定を行ってしまうことがある。
【００２３】
このようなとき、作業者は電源スイッチ９をオフにした後、再び電源スイッチ９をオンする。このとき、マイコン６４は、第１の記憶部６１に記憶された電源をオフにする前のパッチ情報（第１の操作チャンネルの割付）ではなく、第２の記憶部６２に記憶された初期設定（第２の操作チャンネルの割付）を読み出して、これに基づいて照明負荷２を調光制御できる状態とする。
【００２４】
上記のように構成された本実施形態の調光システム１は、作業者が間違ったパッチ設定を行ったときであっても、電源スイッチ９をオフからオンにする簡単な操作により、容易にパッチ設定を初期設定に戻すことができる。概して、初心者は、間違った設定をしてしまったときに、電源をオフすることにより、復旧を図ろうとすることがある。本実施形態の調光システム１は、このような初心者心理を好適に利用しており、初心者にとって操作し易いものとなっている。
【００２５】
また、好ましくは、調光操作器４には切替スイッチ（図示せず）が設けられ、この切替スイッチを押しながら電源スイッチ９をオフにすると、第１の記憶部６１に記憶された第１の操作チャンネルの割付が消去されることなく保存される。また、この切替スイッチを押しながら電源スイッチ９をオフにすると、第２の記憶部６２に記憶された初期設定（第２の操作チャンネルの割付）ではなく、第１の記憶部６１に記憶された電源をオフにする前のパッチ情報（第１の操作チャンネルの割付）を読み出して、これに基づいて照明負荷２を調光制御できる状態とすることもできる。
【００２６】
なお、本実施形態の調光システム１は、種々の変形が可能であり、パッチ設定を記憶する記憶部の一部にパッチ設定に関する初期設定を記憶させておき、この初期設定を容易に再現できるように構成されているものであれば、上記の構成に限られない。なお、調光器３１，３２，…，３ｎ及び調光盤３は、調光操作器４に内蔵されていてもよいし、調光器３１，３２，…，３ｎ及び調光盤３が無く、調光操作器４が直接的に照明負荷２を調光制御するようにしてもよい。
【図面の簡単な説明】
【００２７】
【図１】本発明の一実施形態に係る調光システムの概略図。
【図２】同調光システムのブロック構成図。
【図３】同調光システムの調光操作器に備えられる設定入力部の概略図。
【００２８】
１    調光システム
２    照明負荷
２１，２２，…，２ｎ    照明負荷
３    調光盤
３１，３２，…，３ｎ    調光器
４    調光操作器
５    設定入力部
６    制御部
６１    第１の記憶部
６２    第２の記憶部
７    フェーダ部
７０    フェーダ（操作チャンネル）
８    パッチ設定部
９    電源スイッチ（電源）
【図１】
2008293893.tif 000003
【図２】
2008293893.tif 000004
【図３】
2008293893.tif 000005